(57)【要約】【課題】賽銭が投入されたことを参拝者が確認でき、賽銭の盗難を防止し安全に賽銭を保管できる賽銭装置を提供する。【解決手段】賽銭の投入部１０と、賽銭の収納部４０と、前記投入部１０と前記収納部４０とを連絡する賽銭の通過路２０とを備え、前記通過路２０は、前記投入部１０に連結される部位が、前記収納部４０に連結される部位よりも高位となるように設置され、前記通過路２０内に、該通過路２０内を落下する賽銭５が当接する１または複数の発音体３０が設置されている。【選択図】図１
2010162284.tif 000002
【特許請求の範囲】
【請求項１】
賽銭の投入部と、賽銭の収納部と、前記投入部と前記収納部とを連絡する賽銭の通過路とを備え、
前記通過路は、前記投入部に連結される部位が、前記収納部に連結される部位よりも高位となるように設置され、
前記通過路内に、該通過路内を落下する賽銭が当接する１または複数の発音体が設置されていることを特徴とする賽銭装置。
【請求項２】
前記通過路は、主要部分が地中に埋設されていることを特徴とする請求項１記載の賽銭装置。
【請求項３】
前記通過路は、前記賽銭の移動方向の上流側から下流側へ徐々に低位となる傾斜路として形成されていることを特徴とする請求項１または２記載の賽銭装置。
【請求項４】
前記通過路は、前記賽銭の移動方向の上流側から下流側へ傾斜する傾斜通過路と鉛直方向に配置された鉛直通過路とを組み合わせて形成されていることを特徴とする請求項１または２記載の賽銭装置。
【請求項５】
前記発音体は、前記鉛直通過路の内部に設置されていることを特徴とする請求項４記載の賽銭装置。
【請求項６】
前記発音体は、前記通過路内に、間隔をあけて複数個設置され、それぞれ異なる音色に設定されていることを特徴とする請求項１〜５のいずれか一項記載の賽銭装置。
【請求項７】
前記通過路内には、通過路内において賽銭が前記発音体に向けて落下するようにガイドするシュータが設置されていることを特徴とする請求項１〜６のいずれか一項記載の賽銭装置。
【請求項８】
前記発音体として、前記通過路内において傾動可能に支持され、前記通過路内を転動する賽銭が進入した際の賽銭の進入位置及び賽銭の重さによって、支持バランスが変動することにより傾動し、当該発音体から、賽銭を下流側へ先送りする作用をなす発音体が設けられていることを特徴とする請求項１〜７のいずれか一項記載の賽銭装置。
【請求項９】
前記投入部は、前記賽銭が投入された際に発音する鐘として形成されていることを特徴とする請求項１〜８のいずれか一項記載の賽銭装置。
【請求項１０】
前記収納部は、賽銭が収納される収納容器と、収納容器を昇降可能に収納する収納管と、収納容器を賽銭の収納位置と賽銭の取り出し位置との間で昇降させる昇降手段とを備えることを特徴とする請求項１〜９のいずれか一項記載の賽銭装置。
【発明の詳細な説明】
【技術分野】
【０００１】
本発明は、神社、寺院等に設置する賽銭装置に関する。
【背景技術】
【０００２】
神社、寺院等には、参拝者が賽銭を投入するための賽銭箱が設置されている。従前の賽銭箱は上部に投入口が設けられた箱形に形成され、盗難防止用として鍵がかけられたものである。
参拝者は賽銭箱に賽銭（硬貨）を投げ入れ、賽銭箱内を落下する音を確かめて参拝するのであるが、場合によって賽銭が投入された音が聞こえなかったりするため、賽銭が投入されたことが確実に確認できるようにする機構を備えた賽銭装置が考えられている。たとえば、賽銭箱の内部に鐘などの発音体を設けて、賽銭箱に投入された賽銭（硬貨）が発音体にあたって音が発生するようにする方法、賽銭が投入されたことをシステム的に検知して、音を発生させるといった方法である。
【先行技術文献】
【特許文献】
【０００３】
【特許文献１】特開２０００−３１６７０８号公報
【特許文献２】特開２０００−６０７２０号公報
【特許文献３】特開平７−２８９４１４号公報
【特許文献４】実用新案登録第３１１９５０７号公報
【特許文献５】実開平３−５５４８８号公報
【発明の概要】
【発明が解決しようとする課題】
【０００４】
賽銭装置に発音体を設ける方法によれば、参拝者は賽銭が投入されたことを確実に確認することができる。また、賽銭が投入されたことを検知する検知装置を設ける方法によれば、賽銭が投入されたことを参拝者に知らせる他に、賽銭の投入に合わせて、説明用の音声を流したり、賽銭装置をシステム化することによって賽銭が盗難の被害にあわないようにするといった手段を講じることが可能である。
【０００５】
本発明は、賽銭が投入されたことを参拝者が確認できるようにするとともに、新規な構成を備え、賽銭の盗難を防止し安全に賽銭を保管できる賽銭装置を提供することを目的とする。
【課題を解決するための手段】
【０００６】
本発明に係る賽銭装置は、賽銭の投入部と、賽銭の収納部と、前記投入部と前記収納部とを連絡する賽銭の通過路とを備え、前記通過路は、前記投入部に連結される部位が、前記収納部に連結される部位よりも高位となるように設置され、前記通過路内に、該通過路内を落下する賽銭が当接する１または複数の発音体が設置されていることを特徴とする。      
【０００７】
前記通過路は、主要部分が地中に埋設された設置形態とすることができ、また、前記通過路が、前記賽銭の移動方向の上流側から下流側へ徐々に低位となる傾斜路として形成されている形態、前記通過路が、前記賽銭の移動方向の上流側から下流側へ傾斜する傾斜通過路と鉛直方向に配置された鉛直通過路とを組み合わせて形成した形態とすることができる。
【０００８】
また、前記発音体は、前記通過路内に、間隔をあけて複数個設置され、それぞれ異なる音色に設定されていることにより、投入部に投入された賽銭（硬貨）が発音体に当接して種々の音色を発生させることができ、賽銭がどの位置まで到達したかを知ることができる。また、前記投入部は、前記賽銭が投入された際に発音する鐘として形成することができる。
【発明の効果】
【０００９】
本発明に係る賽銭装置によれば、賽銭が投入されたことを参拝者が確実に知ることができ、また、参拝者によって投入された賽銭を安全に保管し、確保することができる。
【図面の簡単な説明】
【００１０】
【図１】賽銭装置の第１の実施の形態の設置形態を示す断面図である。
【図２】第１の実施の形態における第４の発音体の作用を示す説明図である。
【図３】賽銭装置の第２の実施の形態の設置形態を示す断面図である。
【発明を実施するための形態】
【００１１】
（第１の実施の形態）
図１は賽銭装置の第１の実施の形態の構成を示す。
本実施形態の賽銭装置は、賽銭（硬貨）の投入部１０と、賽銭の収納部４０と、投入部１０と収納部４０とを連絡する賽銭の通過路２０と、通過路２０内に配置された発音体３０とを備える。
【００１２】
賽銭の投入部１０は、外形形状が楕円体状となる中空の容器状に形成され、上部が賽銭５の投入口１１ａとして開口する主投入部１１と、外形が起立した龍の形に形成され、龍の口が賽銭５の投入口１２ａ、１３ａとなっている一対の副投入部１２、１３とを備える。
【００１３】
主投入部１１は、賽銭（硬貨）を投入した際に、音が鳴るように鐘として形成され、主投入部１１の底部が開口し、通過路２０に賽銭が導入されるように、主投入部１１の底部に通過路２０となる配管２１の上部が連結されている。
龍形に形成されている副投入部１２、１３には賽銭５を配管２１に導入する投入管１２ｂ、１３ｂが形成され、投入管１２ｂ、１３ｂの基端部が配管２１の基部に接続されている。
【００１４】
配管２１は主要部が地中に埋設され、配管２１の賽銭５が投入される一端側が地中から鉛直に起立し、主投入部１１が地中から延出する配管２１の上部に連結される。投入管１２ｂ、１３ｂは、配管２１の側面に連結される。配管２１の投入管１２ｂ、１３ｂとの連結位置よりも若干下位置に、石などの異物が通過路２０に入り込むことを防止する網１４が配置されている。
主投入部１１及び副投入部１２、１３は、配管２１から取り外し可能であり、随時取り外して、配管２１に入り込んだ石などの異物を除去することができる。
【００１５】
鉛直に起立して設置されている配管２１の基部から収納部４０に向けて、配管２１は投入部１０との連結部の高さ位置が、収納部４０との連結部の高さ位置よりも高位となるように設置される。本実施形態においては、配管２１の一端側の鉛直に起立する部位から収納部４０側へ屈曲する部位から他端側へは、賽銭５の移動方向の上流側が下流側よりも高位となる傾斜配管２２として形成されている。配管２１の他端は、収納部４０の地中に設置されている収納管４２に連結される。
傾斜配管２２は投入部１０から投入された賽銭（硬貨）を、配管の傾斜角度を利用して、賽銭を鉛直下方に転がしながら、収納部４０に導入する作用をなす。傾斜配管２２の傾斜角度は、賽銭が円滑に収納部４０まで移動することを考慮して設定すればよい。
【００１６】
配管２１は、発音体３０を内部に設置することができる大きさ（径）によって形成し、賽銭５がスムーズに転動、移動して収納部４０にまで到達できるように形成する。配管２１の材質としては金属、樹脂等、適宜材料が使用できる。配管に換えて、セメント等によって通過路２０を形成することも可能である。
賽銭５を収納する収納部４０の設置位置は任意に設定でき、たとえば収納部を社屋内に設置することも可能である。配管２１の長さは投入部１０と収納部４０の設置位置に合わせて設定される。
【００１７】
発音体３０は配管２１の内部に設置される。本実施形態においては、発音体３０として、第１の発音体３１を配管２１の鉛直に起立する部位に設置し、第２、第３、第４、第５の発音体３２、３３、３４、３５を傾斜配管２２の内部に、上流側から、所定間隔をあけて設置している。
【００１８】
配管２１の鉛直に設置した部位に設置した第１の発音体３１は、鐘状に形成したものである。第１の発音体３１は、配管２１の上方から落下する賽銭（硬貨）が鐘の側面にあたるように、配管２１を横切る向きに、鐘の開口部分が鉛直向きとなるように設置している。これにより、投入部１０に投入された賽銭５は、まず、第１の発音体３１にあたって、音が発生する。
【００１９】
第２の発音体３２は、傾斜配管２２の一端側（配管２１の屈曲位置）からやや下がった位置に設置される。この第２の発音体３２は、賽銭５が通過できる大きさの円筒状に形成され、賽銭５が第２の発音体３２の内側を通過する際に第２の発音体３２に当たって音が出るように形成されている。第２の発音体３２は軸線方向を略水平方向とするが、賽銭５を下方に通過しやすくするために出口側が入り口側よりも鉛直方向に若干下位置となるように傾斜させて配置してもよい。
【００２０】
第２の発音体３２の入り口部分の前方には、配管２１から傾斜配管２２に向けて転がってくる賽銭５を第２の発音体３２に導入するシュータ３６ａを配置する。このシュータ３６ａは賽銭５が第２の発音体３２の筒内を通過せずに落下しないように、第２の発音体３２の設置位置の上流位置から、先端を傾斜配管２２の入り口に向け、傾斜配管２２の傾斜角度よりも傾斜角度をゆるやかに傾斜板を設けることによって形成されている。
このシュータ３６ａに乗った賽銭５は、シュータ３６ａにガイドされて第２の発音体３２の筒内に落下する。なお、賽銭５の転がり方によっては、シュータ３６ａを設けても賽銭５が第２の発音体３２に導入されずに落下することもあり得る。
【００２１】
第２の発音体３２を筒状に形成し、向きを水平方向としているのは、賽銭５の転がり方によっては、第２の発音体３２の内部に賽銭５が止まるようにし、賽銭を投入する操作に占い性をもたせるようにするためである。
第２の発音体３２を通過せず、第２の発音体３２に止まった賽銭５は、次の賽銭５が第２の発音体３２に落下してきたときに、その賽銭５の勢いによってともに次の第３の発音体３３に向けて落下する。場合によっては、第２の発音体３２に落下してきた賽銭５が、前回の賽銭５のみを落下させ、第２の発音体３２に止まってしまうといったことも起こり得る。
【００２２】
第３の発音体３３は通常の鐘状に形成され、鐘の開口部を鉛直下向きとして設置されている。第２の発音体３２を通過した賽銭５は第３の発音体３３の側面に衝突して音を発生させる。第３の発音体３３の上流側にも、賽銭５が第３の発音体３３の側面に向けて移動するようにするシュータ３６ｂを配置する。シュータ３６ｂは、傾斜板の下流側の先端を第３の発音体３３の鐘の側面部分に向けて配置される。
傾斜配管２２内を移動・落下する賽銭５は、シュータ３６ｂによってガイドされて第３の発音体３３に衝突し、衝突音を発生させる。
【００２３】
第４の発音体３４は、開口部が一方にのみ形成された鐘形に形成され、鐘の開口部を上流側（賽銭５が落ちてくる側）に向け、鐘の吊持位置を支点として傾動するように取り付けられている。
第４の発音体３４は、第４の発音体３４の内部に賽銭５が存在しない状態においては、開口部が鉛直方向（軸線方向が水平方向）に向き、第４の発音体３４内に賽銭５が進入した際に、第４の発音体３４内における賽銭５の位置、重さによって第４の発音体３４のバランスが崩れて傾動するようにバランス支持されている。
【００２４】
図２に、第４の発音体３４の作用を示す。
図２（ａ）は、第４の発音体３４に賽銭５が進入する状態で、第４の発音体３４は開口部を鉛直方向、すなわち軸線方向が水平方向となるようにバランス支持（水平バランス）されている。図２（ｂ）は、第４の発音体３４に賽銭５が進入した状態である。第４の発音体３４に賽銭５が進入すると賽銭５の重さによって第４の発音体３４の水平バランスが崩れ、第４の発音体３４が傾動し、第４の発音体３４に入り込んだ賽銭５が第４の発音体３４内から排出される。
【００２５】
この第４の発音体３４が傾動する作用は、第４の発音体３４内に落下した賽銭５の落下位置、賽銭５の重さによって影響される。すなわち、第４の発音体３４に一個の賽銭５が進入した場合でも落下位置によっては第４の発音体３４が傾動して賽銭５が排出される可能性もあるし、第４の発音体３４に複数個の賽銭５が収容されている場合でも、第４の発音体３４が傾動しないことも起こり得る。
第４の発音体３４の入り口側にも、第４の発音体３４内へ賽銭５を進入させるようにガイドするシュータ３６ｃを設置する。
【００２６】
第５の発音体３５は比較的大きな鐘形に形成している。第５の発音体３５を大きな鐘に形成しているのは、第５の発音体３５に賽銭５が衝突することで、大きな音が発生するようにするためである。第５の発音体３５の上流側位置に、第５の発音体３５の側面に向けて賽銭５を衝突させるようにガイドするシュータ３６ｄを設置する。
【００２７】
上述した第１〜第５の発音体３１〜３５は、各々の発音体３０に賽銭５が衝突することによってそれぞれ異なる音色が発生するように設定されている。参拝者は賽銭５を投入することによって異なる音色を聞くことができ、音の発生数と音色によって、賽銭５がどの位置まで到達したかを知ることができる。本実施形態では５つの発音体を設置しているから、５種類の音色を聞くことができれば、賽銭５が最後まで到達したことがわかる。したがって、たとえば５色の音色を聞くことができれば「大吉」とし、４色の音色を聞くことができれば「小吉」とするといったような使い方が可能である。第５の発音体３５に大きな鐘を配置することで、最終の発音体まで賽銭５が到達した感慨が得られる。
【００２８】
本実施形態においては、通過路２０に５個の発音体３０を設けたが、通過路２０に設置する発音体３０の個数は任意に設定可能であり、６個以上、あるいは４個以下１個以上、設置するこもが可能である。また、発音体３０の設置順序、設置間隔は適宜設定可能であり、発音体３０の形状や材質も任意に選択することができ、種々の音色の発音体３０を設置することができる。
【００２９】
収納部４０には、地中に設置した収納管４２の底部に、収納管４２内を昇降自在とする賽銭５の収納容器４１を設置する。収納容器４１は、上部が開口する円筒容器状に形成したもので、収納容器４１を昇降させる手段として、たとえば、ロープ４３によって収納管４２の上部に取り付けた蓋４４から吊り下げられる。収納容器４１から賽銭５を取り出すには、ロープ４３によって収納管４２から収納容器４１を引き上げればよい。もちろん、収納容器４１を昇降させる手段はロープ４３に限らず、適宜方法、たとえば電動モータを駆動源として昇降させるといった方法が利用できる。
【００３０】
本実施形態の賽銭装置では、収納部４０は賽銭５の投入部１０とは別位置に設置されている。したがって、従来の賽銭箱のように、賽銭がそのまま賽銭箱内に保管されている形態と比較すると、賽銭を安全に保管することができる。たとえば、収納部４０を神社や寺院等の家屋内に配置しておけば、社屋内で賽銭を保管管理することによって、賽銭をより安全に保管でき、賽銭を収納する操作も容易となる。
【００３１】
（第２の実施の形態）
図３は賽銭装置の第２の実施の形態を示す。賽銭装置の第１の実施の形態においては、発音体３０を配置する配管２１に傾斜配管２２を設けて、投入部１０から投入された賽銭５が通過路２０内を上流側から下部側に向けて落下するように設定した。本実施形態においては、通過路２０を鉛直通過路と傾斜通過路を組み合わせた形態とし、通過路２０が側面方向から見て屈曲する配置としている。
【００３２】
発音体３０は、第１の実施の形態と同様に、通過路２０の投入口側から、第１、第２、第３、第４、第５の発音体３１、３２、３３、３４、３５を設け、これらの発音体３０を通過路２０の鉛直通過路に配置している。発音体３０を鉛直通過路に配置している理由は、鉛直通過路では賽銭（硬貨）５が勢いを増しながら落下するから、賽銭５を確実に発音体３０に当接させ、より確実に最終の発音体３５まで到達させることができるようにするためである。
通過路２０の鉛直通過路に連結する通過路を傾斜配置（傾斜通過路）としているのは、この傾斜通過路において賽銭５が下方に転がるようにし、賽銭５を確実に下流に移動させるためである。
【００３３】
第１〜第５の発音体３１〜３５の構成及び作用は、第１の実施の形態において説明した構成及び作用と同様である。ただし、本実施形態においては通過路２０の鉛直通過路に発音体３０を設置するから、第１の実施の形態における設置方法とは異なり、発音体３０を設置する角度（向き）を変えて設置している。もちろん、賽銭５の通過を妨げない場合は、発音体３０の設置方法を第１の実施の形態と同様にしてもよい。
【００３４】
第４の発音体３４は、発音体の内部に賽銭５をいったん受け入れてから発音体を傾動させ、賽銭５を先送りする作用をなす。本実施形態においては、鐘形に形成した第４の発音体３４については、通過路２０内を落下してくる賽銭５が鐘の内部に受け入れられやすくするため、鐘の開口部が賽銭５の落下方向に合わせて斜め上方位置で開口するように取り付けている。第４の発音体３４内に落下した賽銭５の落下位置により、第４の発音体３４のバランスが変動し、第４の発音体３４が傾動して下方に賽銭５が落下する。本実施形態においても、第４の発音体３４に受け入れられた賽銭５の位置、賽銭５の重さによって第４の発音体３４の傾動が左右される点は第１の実施の形態と同様である。
【００３５】
なお、本実施形態においては、通過路２０の鉛直通過路内に発音体３０を設置したが、通過路２０の傾斜通過路内に発音体３０を設置することももちろん可能である。また、鉛直通過路と傾斜通過路の双方に発音体３０を設置してもよい。発音体３０の設置数、設置位置は任意に選択可能である。また、鉛直方向の通過路を完全に鉛直向きとするかわりに、鉛直位置から若干傾斜させた向きとすることも可能である。
【００３６】
図３は、賽銭の収納部４０に設ける収納管４２を鉛直方向に対し傾斜させた配置とした例を示す。収納管４２の底部に収納容器４１を設置すること、収納容器４１にロープ４３を取り付け、収納容器４１を昇降可能に設けた構成は第１の実施の形態と同様である。収納管４２の側面に通過路２０が接続され、通過路２０を落下した賽銭５が収納容器４１に収納される。
【００３７】
投入部１０、通過路２０等の配置によっては、本実施形態のように、収納部４０の収納管４２を鉛直方向に対して斜めに設置する設計が有効な場合がある。収納管４０の設置方向は設置位置に応じて任意に設定可能であり、第１の実施の形態において収納管４０を鉛直方向に対して傾斜させて設置することもできるし、第２の実施の形態において収納管４０を鉛直向きに設置することもできる。
【００３８】
なお、第１、第２の実施の形態においては、収納部４０に収納容器４１を設置し、収納容器４１を昇降させて収納容器４１に収納された賽銭５を回収するように構成したが、収納容器４１を昇降させるかわりに、収納管４２の上部から収納管４２内に吸引パイプを挿入し、吸引パイプを介して収納容器４１に収納された賽銭５を真空吸引して取り出すこともできる。この場合には、収納容器４１を使用せず、収納管４２自体を収納容器として使用することもできる。
【００３９】
図３に示す賽銭装置では賽銭の投入部１０を鐘形に形成した主投入部１１のみからなる構成としたが、賽銭の投入部の形態は任意に選択可能であり、鐘形以外の種々の形態とすることができる。また、主投入部１１の他に、副投入部のような他の投入部を付設することも可能である。賽銭の投入部１０を鐘によって形成すると、賽銭を投入した際に良い音が発生するという効果がある。
【００４０】
本実施形態の賽銭装置においても、投入部１０に賽銭５を投入することにより、賽銭５は通過路２０内に設置した発音体３０に衝突しながら通過路２０内を落下する。これによって、参拝者は、投入部１０に投入した賽銭５がどの位置まで到達したかを知ることができる。また、賽銭５は、最終的に収納部４０の収納容器４１に保管される。
このように、本発明の賽銭装置は、神社、寺院の他に、任意の施設に設置することができる。本発明の賽銭装置によれば、参拝者には賽銭が投入されたことを確実に知らせることができ、また、賽銭が投下された際にいろいろな音色が発生することから、従来にない趣の賽銭装置として提供することができる。
【符号の説明】
【００４１】
１０  投入部
１１  主投入部
１２、１３  副投入部
１４  網
２０  通過路
２１  配管
２２  傾斜配管
３０  発音体
３１  第１の発音体
３２  第２の発音体
３３  第３の発音体
３４  第４の発音体
３５  第５の発音体
３６ａ、３６ｂ、３６ｃ、３６ｄ  シュータ
４０  収納部
４１  収納容器
４２  収納管
【図１】
2010162284.tif 000003
【図２】
2010162284.tif 000004
【図３】
2010162284.tif 000005